(57)【要約】【課題】導光板から照明光が出射される領域から発光素子を大きく離間させなくても、導光板から表示パネルに照射される照明光の強度ばらつきを抑制することのできる表示装置、および携帯用電子機器を提供すること。【解決手段】表示装置１において、照明装置３０の導光板５０において照明光を出射する第１面５１は表示パネル１０の全面と接着剤層２０によって接着されている。導光板５０は、光入射面５５と接着領域との間に光導入領域５６を備え、光導入領域５６の第２面５２側には、光入射面５５側の厚さを薄くする方向に傾いた第２面側傾斜面５８が形成されている。このため、発光素子４１の第１面５１側の端部から出射された光が、第２面側傾斜面５８で反射して導光板５０と接着剤層２０との界面の光入射面５５に最も近い位置に直接、入射した際でも、その入射角が臨界角以上である。【選択図】図２
2016161892.tif 000002
【特許請求の範囲】
【請求項１】
表示パネルと、
前記表示パネルの一方の面と対向配置された導光板と、
前記導光板の前記表示パネル側の面である第１面と前記表示パネルの一方の面とを接着するように前記導光板と前記表示パネルとの間に配置された接着剤層と、
前記導光板の前記第１面と交差した端面である光入射面に対向配置された発光素子と、
を備え、
前記発光素子から出射した光の少なくとも一部は、前記導光板の前記第１面から前記表示パネルに向けて照明光として出射するとともに、前記照明光の少なくとも一部は、前記表示パネルで変調されて前記導光板の前記第１面とは反対側の面である第２面から画像光として出射し、
前記導光板は、平面視で前記接着剤層と重なる領域と前記光入射面との間に光導入領域を備え、
前記光導入領域の前記第２面側には、前記光入射面側の厚さを薄くする方向に傾いた第２面側傾斜面が形成されており、
前記発光素子から出射された光の一部が、前記光入射面の前記第２面側の端部から前記導光板の前記第１面と前記接着剤層との界面の前記光入射面に最も近い位置に入射した際の入射角が、前記導光板と前記接着剤層との界面における臨界角以上であり、
前記発光素子から出射された光の他の一部が、前記光入射面の前記第１面側の端部から前記第２面側傾斜面で反射して、前記導光板の前記第１面と前記接着剤層との界面の前記光入射面に最も近い位置に入射した際の入射角が、前記臨界角以上であることを特徴とする表示装置。
【請求項２】
請求項１に記載の表示装置において、
前記第２面側傾斜面は、前記光導入領域の前記光入射面側の端部である第１端部および前記光導入領域の前記光入射面とは反対側の端部である第２端部のうち、少なくとも一方から離間するように形成されていることを特徴とする表示装置。
【請求項３】
請求項２に記載の表示装置において、
前記第２面側傾斜面は、前記第１端部から前記第２端部側に離間した位置を起点にして前記第２端部に向かうように形成されていることを特徴とする表示装置。
【請求項４】
請求項２または３に記載の表示装置において、
前記第２面側傾斜面は、前記第１端部と前記第２端部との間に複数の傾斜面を有するように形成されていることを特徴とする表示装置。
【請求項５】
請求項１乃至４の何れか一項に記載の表示装置において、
前記第２面側傾斜面は、前記接着剤層と重なる領域よりも厚くなるように突出した部分を含むことを特徴とする表示装置。
【請求項６】
請求項１乃至５の何れか一項に記載の表示装置において、
前記光入射面は、前記第２面側の端部が前記発光素子とは反対側に向かう方向に傾いたテーパー面であることを特徴とする表示装置。
【請求項７】
請求項１乃至６の何れか一項に記載の表示装置において、
前記光導入領域の前記第１面側には、前記光入射面側の厚さを薄くする方向に傾いた第１面側傾斜面が形成されていることを特徴とする表示装置。
【請求項８】
請求項１乃至７の何れか一項に記載の表示装置を備えていることを特徴とする携帯用電子機器。
【発明の詳細な説明】
【技術分野】
【０００１】
本発明は、表示装置、および携帯用電子機器に関するものである。
【背景技術】
【０００２】
反射型の表示パネルを備えた表示装置では、透過光を利用できないため、いわゆるフロントライトと称せられる照明装置が用いられる。かかる照明装置では、図９（ａ）に示すように、導光板５０の端面５４に設けられた光入射面５５から光源４０の光を入射させ、導光板５０の厚さ方向で対向する第１面５１および第２面５２との間で反射を繰り返しながら、第１面５１から表示パネル１０に向けて照明光を出射する。そして、照明光は、矢印Ｐで示すように、表示パネル１０で変調された後、導光板５０の第２面５２から出射されて画像を表示する（特許文献１参照）。
【０００３】
ここで、導光板５０の第１面５１は、表示パネル１０の全面と接着剤層２０を介して接着される。また、導光板５０は、光入射面５５が設けられている側が表示パネル１０との接着領域から張り出しており、かかる張り出した領域は光導入領域５６とされる。
【先行技術文献】
【特許文献】
【０００４】
【特許文献１】特開２００４−２５９６３０号公報
【発明の概要】
【発明が解決しようとする課題】
【０００５】
しかしながら、図９（ａ）に示す導光板５０を用いた照明装置３０では、図１０に示すように、導光板５０から出射される照明光のうち、光入射面５５に近い領域５０ａで出射される光の強度が、他の領域から出射される光の強度より極端に高いという問題点がある。かかる領域５０ａが画像表示領域１ａ内に位置すると、画像の品位を低下させるため、好ましくない。従って、図９（ａ）に示す導光板５０において、強度が均一な照明光を表示パネル１０に照射するには、図９（ｂ）を参照して説明する以下の条件を満たすように、光導入領域５６の長さを十分、長くする必要がある。
【０００６】
まず、図９（ｂ）において、光線Ｌ１は、光源４０の第２面５２側の端部から斜めに出射された光であり、かかる光線Ｌ１は、接着剤層２０に直接、入射せずに全反射する必要がある。そのためには、Ｗｂ＝Ｗａ＋（ｔａ−Ｗａ）／２としたとき、以下の式
ｓｉｎθａ＝Ｄ／√（Ｄ２＋Ｗｂ２）  ＞  ｓｉｎθｃ＝ｎｇ／ｎａ
上式において、
Ｗａ＝光源４０の発光面の幅
Ｗｂ＝光源４０の第２面５２側の端部と第１面５１との距離
ｔａ＝導光板５０の厚さ
ｎａ＝導光板５０の屈折率
ｎｇ＝接着剤層２０の屈折率
θａ＝光線Ｌ１の第１面５１への入射角
θｃ＝導光板５０と接着剤層２０との界面での臨界角
Ｄ＝光導入領域５６の長さ
を満たす必要がある。
【０００７】
すなわち、上式を変形した下式（条件式１）
Ｄ＞Ｗｂ√（ｎｇ２／ｎａ２−ｎｇ２）
を満たす必要がある。
【０００８】
例えば、ｔａ＝０．４ｍｍ、ｎａ＝１．５９、ｎｇ＝１．４８、Ｗａ＝０．３ｍｍのとき、Ｄ＞０．８９ｍｍとなる。
【０００９】
一方、図９（ｂ）において、光線Ｌ２は、光源４０の第１面５１側の端部から出射された光であり、かかる光線Ｌ２は、第２面５２で反射した後、接着剤層２０に直接、入射せずに、光入射面５５に近い位置で全反射する必要がある。そのためには、以下の式
ｓｉｎθｂ＝ｄ／√（ｄ２＋Ｗｂ２）  ＞  ｓｉｎθｃ＝ｎｇ／ｎａ
上式において、
ｄ＝光線Ｌ２が第２面５２で反射する位置の光入射面５５からの距離
θｂ＝光線Ｌ２の第１面５１への入射角
を満たす必要がある。
【００１０】
すなわち、上式を変形した下式（条件式２）
ｄ＞Ｗｂ√（ｎｇ２／ｎａ２−ｎｇ２）
を満たす必要がある。従って、角度θｂが臨界角θｃより大きくすればよい。ｎａ＝１．５９、ｎｇ＝１．４８のとき、ｄ＞０．８９ｍｍとなる。ここで、光線Ｌ２は、第２面５２で反射して第１面５１に向かうため、長さＤは、距離ｄの２倍となる。
【００１１】
しかしながら、上記の条件を満たすように、光導入領域５６の長さＤを長くすると、導光板５０が大型化する結果、照明装置３０や表示装置１の小型化を図れないという問題点がある。
【００１２】
以上の問題点に鑑みて、本発明の課題は、導光板から照明光が出射される領域から発光素子を大きく離間させなくても、導光板から表示パネルに照射される照明光の強度ばらつきを抑制することのできる表示装置、および携帯用電子機器を提供することにある。
【課題を解決するための手段】
【００１３】
上記課題を解決するために、本発明に係る表示装置の一態様は、表示パネルと、前記表示パネルの一方の面と対向配置された導光板と、前記導光板の前記表示パネル側の面である第１面と前記表示パネルの一方の面とを接着するように前記導光板と前記表示パネルとの間に配置された接着剤層と、前記導光板の前記第１面と交差した端面である光入射面に対向配置された発光素子と、を備え、前記発光素子から出射した光の少なくとも一部は、前記導光板の前記第１面から前記表示パネルに向けて照明光として出射するとともに、前記照明光の少なくとも一部は、前記表示パネルで変調されて前記導光板の前記第１面とは反対側の面である第２面から画像光として出射し、前記導光板は、平面視で前記接着剤層と重なる領域と前記光入射面との間に光導入領域を備え、前記光導入領域の前記第２面側には、前記光入射面側の厚さを薄くする方向に傾いた第２面側傾斜面が形成されており、前記発光素子から出射された光の一部が、前記光入射面の前記第２面側の端部から前記導光板の前記第１面と前記接着剤層との界面の前記光入射面に最も近い位置に入射した際の入射角が、前記導光板と前記接着剤層との界面における臨界角以上であり、前記発光素子から出射された光の他の一部が、前記光入射面の前記第１面側の端部から前記第２面側傾斜面で反射して、前記導光板の前記第１面と前記接着剤層との界面の前記光入射面に最も近い位置に入射した際の入射角が、前記臨界角以上であることを特徴とする。
【００１４】
本発明に係る表示装置において、発光素子の第２面側の端部から出射された光の一部が、第１面と接着剤層との界面の光入射面に最も近い位置に入射した際の入射角が臨界角以上であるため、発光素子から出射された光が直接、第１面から出射されることがない。また、光導入領域の第２面側には光入射面側の厚さを薄くする方向に傾いた第２面側傾斜面が形成されている。このため、発光素子の第１面側の端部から出射された光の他の一部が、第２面側で反射して、導光板の第１面と接着剤層との界面の光入射面に最も近い位置に入射しても、かかる光の入射角は、第２面側傾斜面の傾斜角の２倍に相当する分だけ、大きいため、全反射し、接着剤層を介して表示パネルに直接、入射するのを抑制することができる。従って、導光板から出射される照明光では、光入射面に近い領域で出射される光の強度が、他の領域から出射される光の強度より極端に高いという事態を回避することができ、強度ばらつきを抑制することができる。
【００１５】
本発明において、前記第２面側傾斜面は、前記光導入領域の前記光入射面側の端部である第１端部および前記光導入領域の前記光入射面とは反対側の端部である第２端部のうち、少なくとも一方から離間するように形成されていることが好ましい。かかる構成によれば、光導入領域の長さを短くして導光板の小型化を図った場合でも、第２面側傾斜面の傾斜角を大きくすることができる。従って、光導入領域の長さを短くして導光板を小型化した場合でも、導光板から表示パネルに照射される照明光の強度ばらつきを抑制することができる。
【００１６】
この場合、前記第２面側傾斜面は、前記第１端部から前記第２端部側に離間した位置を起点にして前記第２端部に向かうように形成されていることが好ましい。
【００１７】
本発明において、前記第２面側傾斜面は、前記第１端部と前記第２端部との間に複数の傾斜面を有するように形成されていることが好ましい。かかる構成によれば、光導入領域の長さを短くして導光板の小型化を図った場合でも、第２面側傾斜面の傾斜角を大きくすることができる。
【００１８】
本発明において、前記第２面側傾斜面は、前記接着剤層と重なる領域よりも厚くなるように突出した部分を含むことが好ましい。かかる構成によれば、光導入領域の長さを短くして導光板の小型化を図った場合でも、第２面側傾斜面の傾斜角を大きくすることができる。
【００１９】
本発明において、前記光入射面は、前記第２面側の端部が前記発光素子とは反対側に向かう方向に傾いたテーパー面であることが好ましい。かかる構成によれば、光入射面に近い位置に入射する光の入射角が大きくなる。このため、光入射面に近い位置に入射した光が全反射し、直接、接着剤層を介して表示パネルに入射するのを抑制することができる。従って、光導入領域の長さを短くして導光板を小型化した場合でも、導光板から表示パネルに照射される照明光の強度ばらつきを抑制することができる。
【００２０】
本発明において、前記光導入領域の前記第１面側には、前記光入射面側の厚さを薄くする方向に傾いた第１面側傾斜面が形成されている態様を採用してもよい。
【００２１】
本発明を適用した表示装置は、携帯用電子機器等、各種電子機器に用いることができる。
【図面の簡単な説明】
【００２２】
【図１】本発明の実施の形態１に係る表示装置の一態様を示す説明図である。
【図２】本発明の実施の形態１に係る表示装置の照明装置に用いた導光板の光導入領域等を拡大して示す説明図である。
【図３】本発明の実施の形態１に係る表示装置の照明装置から出射される照明光の強度分布を示す説明図である。
【図４】本発明の実施の形態２に係る表示装置の照明装置に用いた導光板の光導入領域付近を拡大して示す説明図である。
【図５】本発明の実施の形態３に係る表示装置の照明装置に用いた導光板の光導入領域付近を拡大して示す説明図である。
【図６】本発明の実施の形態４に係る表示装置の照明装置に用いた導光板の光導入領域付近を拡大して示す説明図である。
【図７】本発明の実施の形態５に係る表示装置の照明装置に用いた導光板の光導入領域付近を拡大して示す説明図である。
【図８】本発明を適用した表示装置を備えた携帯用電子機器の説明図である。
【図９】本発明の参考例に係る表示装置の説明図である。
【図１０】本発明の参考例に係る表示装置の照明装置から出射される照明光の強度分布を示す説明図である。
【発明を実施するための形態】
【００２３】
図面を参照して、本発明の実施の形態を説明する。なお、以下の説明で参照する図においては、各層や各部材を図面上で認識可能な程度の大きさとするため、各層や各部材毎に縮尺を異ならしめてある。
【００２４】
［実施の形態１］
（表示装置の構成）
図１は、本発明の実施の形態１に係る表示装置の一態様を示す説明図であり、図１（ａ）、（ｂ）は各々、表示装置の平面図、および表示装置のＨ１−Ｈ１′断面図である。
【００２５】
図１に示す表示装置１は、表示パネル１０と、表示パネル１０に対向配置された導光板５０を備えた照明装置３０とを有している。
【００２６】
本形態において、表示パネル１０は、電気泳動パネル、反射型液晶パネル、ＭＥＭＳ素子、光干渉素子等の反射型の表示パネルであり、第１基板１１と、第１基板１１と対向配置された透光性の第２基板１２と、第１基板１１と第２基板１２との間に設けられた表示層１３と、第１基板１１と第２基板１２との間において表示層１３の周りを封止する封止層１４とを有している。第１基板１１において第２基板１２と対向する面１１ｂ、および第２基板１２において第１基板１１と対向する面１２ａには、表示層１３を駆動する電極（図示せず）が形成されている。
【００２７】
かかる反射型の表示パネル１０では、図１（ｂ）に矢印Ｐで示すように、第２基板１２の側から入射した照明光が表示層１３や第１基板１１の側で反射して第２基板１２の側から出射される間に表示層１３によって光変調され、画像を表示する。本形態において、表示パネル１０は、電気泳動パネルである。
【００２８】
（照明装置３０の構成）
照明装置３０は、いわゆるフロントライトとして構成されており、光源４０と、光源４０と対向する光入射面５５を端面５４に備えた透光性の導光板５０とを有している。本形態において、導光板５０は、表示パネル１０の第２基板１２の第１基板１１とは反対側の面１２ｂの全体に透光性の接着剤層２０によって接着されている。導光板５０は、例えば、屈折率が１．５〜１．６の透光性樹脂からなり、本形態において、導光板５０は、ポリカーボネート（屈折率＝１．５９）の樹脂成形品からなる。
【００２９】
かかる照明装置３０において、光源４０から出射された光は、導光板５０において、第１面５１、および第１面５１とは反対側の面である第２面５２と交差した端面５４の一部である光入射面５５から導光板５０の内部に入射する。そして、光は、導光板５０の厚さ方向で対向する第１面５１および第２面５２との間で反射を繰り返しながら導光板５０内を進行し、第１面５１および第２面５２のうち、表示パネル１０側に位置する第１面５１（厚さ方向の一方面）から照明光として表示パネル１０に出射される。そして、照明光は、表示パネル１０によって光変調された後、導光板５０の第１面５１から導光板５０内に入射し、第２面５２から出射して画像を表示する。
【００３０】
導光板５０の第１面５１および第２面５２の少なくとも一方には、凸部や凹部からなる光散乱部５９が所定の分布をもって形成されている。本形態において、光散乱部５９は、例えば、ピッチが０．２ｍｍ、半径が６０μｍ、高さが１０μｍの半球状の複数の凸部からなり、導光板５０の第２面５２に設けられている。なお、図１（ｂ）では、光散乱部５９が形成されている範囲のみを示し、光散乱部５９を構成する凸部の図示を省略してある。
【００３１】
本形態において、導光板５０は、略円形の平面形状を有しており、周方向の一部が径方向の外側に突出した突出部５３になっている。このため、導光板５０は、突出部５３を除く周方向の略全体が、径方向の外側に張り出した湾曲部５４０になっている。本形態において、導光板５０は、例えば、厚さが０．４ｍｍで、直径が３２ｍｍである。
【００３２】
突出部５３の先端部５３０は直線状であり、導光板５０の端面５４のうち、突出部５３の先端部５３０に光入射面５５が設けられている。また、光源４０は、光入射面５５に対向する発光素子４１からなる。光源４０と光入射面５５とが対向する方向に対して直交する幅方向では、導光板５０の最大幅寸法は、光入射面５５が設けられている範囲の幅寸法よりかなり大である。
【００３３】
表示パネル１０は、導光板５０と同様、略円形の平面形状を有しており、導光板５０の突出部５３と重なる突出部１５を有している。このため、表示パネル１０において、封止層１４は、導光板５０の端面５４に沿って円環状に形成されている。但し、表示パネル１０の平面形状については、略円形に限らず、矩形であってもよい。
【００３４】
いずれの場合も、表示パネル１０と導光板５０とが重なる領域の一部が画像表示領域１ａとして利用される。本形態において、画像表示領域１ａは、表示パネル１０の封止層１４の内側に形成されており、導光板５０よりわずかに外径が小さい円形領域として構成されている。
【００３５】
光源４０として用いた発光素子４１は、例えば、白色光を出射する発光ダイオードであり、かかる発光ダイオードでは、青色光で黄色の蛍光体を励起して白色光を生成する。従って、発光素子４１は、実質的には、略楕円の面光源として機能する。発光素子４１は、短軸を導光板５０の厚さ方向に向け、長軸を導光板５０において端面５４（光入射面５５）の延在方向に向けるように配置される。発光素子４１は、白色光とは異なる色の光でもよく、多色発光の発光ダイオードでもよい。また、発光素子４１は、発光ダイオードとは異なる原理の発光素子であってもよい。
【００３６】
（光導入領域５６の構成）
本形態の照明装置３０および表示装置１において、導光板５０は、光入射面５５の側が表示パネル１０の第２基板１２から張り出しており、表示パネル１０の第２基板１２との接着領域（接着剤層２０）と光入射面５５との間には光導入領域５６が設けられている。ここで、光導入領域５６の第２面５２側には、光入射面５５側の厚さを薄くする方向に傾いた第２面側傾斜面５８が形成されている。また、光導入領域５６の第１面５１側には、光入射面５５側の厚さを薄くする方向に傾いた第１面側傾斜面５７が形成されており、第２面側傾斜面５８と第１面側傾斜面５７とは、導光板５０の厚さ方向で対向している。
【００３７】
（第２面側傾斜面５８等の詳細構成）
図２は、本発明の実施の形態１に係る表示装置１の照明装置３０に用いた導光板５０の光導入領域５６等を拡大して示す説明図である。なお、図２は、図９（ｂ）に対応する説明図であり、共通する部分には同一の符号を付してある。
【００３８】
図２において、発光素子４１から出射された光のうち、実線で示す一部の光線Ｌ１は、発光素子４１の第２面５２側の端部から斜めに出射された光であり、かかる光線Ｌ１は、接着剤層２０に直接、入射せずに全反射する必要がある。そのため、本形態では、図９（ｂ）を参照して説明した条件式１を満たしている。従って、発光素子４１の第２面５２側の端部から斜めに出射された光が、導光板５０の第１面５１と接着剤層２０との界面のうち、光入射面５５に最も近い位置で入射した場合でも、入射角が臨界角θｃ以上である。従って、発光素子４１から出射された光が直接、第１面５１から出射されることがないので、かかる迷光に起因する照明光の強度ばらつきを抑制することができる。
【００３９】
また、本形態では、光導入領域５６のうち、光導入領域５６の光入射面５５側の端部からなる第１端部５６１、および光導入領域５６の光入射面５５とは反対側の端部からなる第２端部５６２の少なくとも一方から離間した領域に、光入射面５５側の厚さを薄くする方向に傾いた第２面側傾斜面５８が形成されている。本形態において、第２面側傾斜面５８は、第１端部５６１を起点にして第１端部５６１から第２端部５６２に向かう途中位置までの長さｄｃの範囲に設けられており、第２面側傾斜面５８の傾斜角はθｓである。
【００４０】
このように構成した導光板５０において、発光素子４１の第１面５１側の端部から、光入射面５５に対して角度θｂの方向に出射されたの光線Ｌ２の一部（点線で示す）は、第２面５２で反射した後、接着剤層２０に直接、入射せずに、光入射面５５に近い位置で全反射する必要がある。ここで、光線Ｌ２は、第２面５２のうち、第２面側傾斜面５８で反射して、導光板５０の第１面５１と接着剤層２０との界面に向かう。その際、導光板５０の第１面５１と接着剤層２０との界面に対する光線Ｌ２の入射角は、θｂ＋２θｓであり、図９を参照して説明した構成より、２θｓに相当する角度分だけ大きい。このため、光線Ｌ２が、導光板５０の第１面５１と接着剤層２０との界面のうち、光入射面５５に最も近い位置で入射した場合でも、θｂ＋２θｓ＞θｃの条件を確実に満たす。従って、光線Ｌ２が、導光板５０の第１面５１と接着剤層２０との界面のうち、光入射面５５に最も近い位置に入射した場合でも、全反射することになる。従って、発光素子４１から出射された光が直接、第１面５１から出射されることがないので、かかる迷光に起因する照明光の強度ばらつきを抑制することができる。
【００４１】
例えば、導光板５０屈折率ｎａが１．５９、接着剤層２０の屈折率ｎｇが１．４８の場合、導光板５０の第１面５１と接着剤層２０との界面での臨界角θｃは６８．６°である。また、光源４０（発光素子４１）の発光面の幅Ｗａが０．３ｍｍ、導光板５０の厚さｔａが０．４ｍｍ、光導入領域５６の長さＤが１．１ｍｍで、第２面側傾斜面５８の長さｄｃを、光線Ｌ２が第２面５２で反射する位置の光入射面５５からの距離ｄと等しいとしたとき、傾斜角θｓは２．６°となり、全反射するための角度θｂは６３．４°以上となる。
【００４２】
本形態では、第２面側傾斜面５８の長さｄｃが光導入領域５６の長さＤより短く設定されている。このため、傾斜角θｓを大きく設定することができる。従って、本形態によれば、光導入領域５６の長さＤが短い場合でも、光線Ｌ２が、導光板５０の第１面５１と接着剤層２０との界面のうち、光入射面５５に最も近い位置に入射する際の入射角（θｂ＋２θｓ）を大きくすることができる。それ故、図３を参照して後述するように、光導入領域５６の長さＤを短く設定して導光板５０の小型化を図っても、導光板５０から出射される照明光では、光入射面５５に近い領域５０ａで出射される光の強度が、他の領域から出射される光の強度より極端に高いという事態を回避することができる。
【００４３】
また、導光板５０の第１面５１には、第２面側傾斜面５８と重なる領域に、第２面側傾斜面５８と同一構成の第１面側傾斜面５７が形成されている。このため、発光素子４１の第２面５２側の端部から出射された光が第１面５１側に向かっても、第１面５１から直接、抜けることを防止することができる。それ故、迷光の発生を抑制することができる。
【００４４】
（照明光の強度分布）
図３は、本発明の実施の形態１に係る表示装置１の照明装置３０から出射される照明光の強度分布を示す説明図であり、強度分布のシミュレーション結果に基づいて、強度が相対的に高い領域を、一点鎖線で模式的に示してある。なお、図３（ａ）、（ｂ）、（ｃ）、（ｄ）は各々、各種条件を変更した場合の強度分布である。
【００４５】
本形態の表示装置１において、光導入領域５６の長さＤを１．１ｍｍとし、接着剤層２０の屈折率ｎｇを１．４８とし、第２面側傾斜面５８の傾斜角θｓを７°とし、第２面側傾斜面５８の長さｄｃを０．４ｍｍとし、光線Ｌ２が第２面５２で反射する位置の光入射面５５からの距離ｄを０．４ｍｍとしたとき、図３（ａ）に示す強度分布が得られた。図３（ａ）からわかるように、光入射面５５に近い領域で、光の強度が、他の領域から出射される光の強度より高い領域５０ａの範囲が極めて狭い。また、迷光率は０．６９５％であった。
【００４６】
本形態の表示装置１において、光導入領域５６の長さＤを１．６ｍｍとし、接着剤層２０の屈折率ｎｇを１．４８とし、第２面側傾斜面５８の傾斜角θｓを７°とし、第２面側傾斜面５８の長さｄｃを０．４ｍｍとし、光線Ｌ２が第２面５２で反射する位置の光入射面５５からの距離ｄを０．４ｍｍとしたとき、図３（ｂ）に示す強度分布が得られた。図３（ｂ）からわかるように、光入射面５５に近い領域で、光の強度が、他の領域から出射される光の強度より高い領域５０ａの範囲が極めて狭い。また、迷光率は０．５６４％であった。
【００４７】
本形態の表示装置１において、光導入領域５６の長さＤを１．１ｍｍとし、接着剤層２０の屈折率ｎｇを１．４１とし、第２面側傾斜面５８の傾斜角θｓを７°とし、第２面側傾斜面５８の長さｄｃを０．４ｍｍとし、光線Ｌ２が第２面５２で反射する位置の光入射面５５からの距離ｄを０．４ｍｍとしたとき、図３（ｃ）に示す強度分布が得られた。図３（ｃ）からわかるように、光入射面５５に近い領域で、光の強度が、他の領域から出射される光の強度より高い領域５０ａの範囲が極めて狭い。また、迷光率は０．３９１％であった。
【００４８】
本形態の表示装置１において、光導入領域５６の長さＤを１．６ｍｍとし、接着剤層２０の屈折率ｎｇを１．４１とし、第２面側傾斜面５８の傾斜角θｓを７°とし、第２面側傾斜面５８の長さｄｃを０．４ｍｍとし、光線Ｌ２が第２面５２で反射する位置の光入射面５５からの距離ｄを０．４ｍｍとしたとき、図３（ｄ）に示す強度分布が得られた。図３（ｄ）からわかるように、光入射面５５に近い領域で、光の強度が、他の領域から出射される光の強度より高い領域５０ａの範囲が極めて狭い。また、迷光率は０．３９３％であった。
【００４９】
また、上記の各条件での迷光率を求めた結果、接着剤層２０の屈折率ｎｇが小さい方が、迷光率が低く、光導入領域５６の長さＤが長い方が、迷光率が低いという結果が得られた。
【００５０】
次に、本形態の表示装置１において、光導入領域５６の長さＤを１．１ｍｍとし、接着剤層２０の屈折率ｎｇを１．４１とし、第２面側傾斜面５８の傾斜角θｓを０°から１０°に変化させたときの迷光率を検討した。その結果を表１に示す。表１に示すように、傾斜角θｓを０°とした参考例では、迷光率が１．２４％であったのに対して、傾斜角θｓを５°、６°、７°、８°、１０°とした本形態では、迷光率が各々、０．４１％、０．４０％、０．４０％、０．５９％、０．７２％であり、傾斜角θｓを５°〜７°にした場合、迷光率を効果的に低減できることが確認できた。
【００５１】
【表１】
2016161892.tif 000003
【００５２】
［実施の形態２］
図４は、本発明の実施の形態２に係る表示装置１の照明装置３０に用いた導光板５０の光導入領域５６付近を拡大して示す説明図である。なお、本形態の基本的な構成は、実施の形態１と同様であるため、共通する部分には同一の符号を付してそれらの説明を省略する。
【００５３】
本形態でも、図２を参照して説明したように、導光板５０は、光入射面５５と導光板５０の表示パネル１０との接着領域（接着剤層２０の形成領域）との間に光導入領域５６を備え、光導入領域５６の第２面５２側には、光入射面５５側の厚さを薄くする方向に傾いた第２面側傾斜面５８が形成されている。また、光導入領域５６の第１面５１側には、光入射面５５側の厚さを薄くする方向に傾いた第１面側傾斜面５７が形成されている。
【００５４】
本形態では、図４に示すように、第１面側傾斜面５７および第２面側傾斜面５８は、光導入領域５６の第１端部５６１、および光導入領域５６の第２端部５６２の少なくとも一方から離間した領域に形成されている。より具体的には、第１面側傾斜面５７および第２面側傾斜面５８は、第１端部５６１から第２端部５６２側に離間する位置を起点にして第２端部５６２の側まで設けられている。このため、光導入領域５６の長さＤが短い場合でも、傾斜角θｓを大きく設定することができる。従って、発光素子４１から出射された光が第１面５１から直接、出射されることに起因する迷光の発生を抑制し、照明光の強度ばらつきを抑制することができる。
【００５５】
ここで、第１面側傾斜面５７および第２面側傾斜面５８が形成されている長さをｄ１とし、第１面側傾斜面５７と光入射面５５との距離をｄ２とし、第１面側傾斜面５７および第２面側傾斜面５８の傾斜角θｓとしたとき、これらの値を変化させたときの迷光率を検討した。その結果を表２に示す。その際、光導入領域５６の長さＤは１．１ｍｍとし、接着剤層２０の屈折率ｎｇは１．４１である。
【００５６】
【表２】
2016161892.tif 000004
【００５７】
その結果、表２に示すように、長さｄ１を０．５ｍｍとし、距離ｄ２を０．１ｍｍとし、傾斜角θｓを６°としたときの迷光率は０．２６％であった。長さｄ１を０．４５ｍｍとし、距離ｄ２を０．０５ｍｍとし、傾斜角θｓを６°としたときの迷光率は０．２０％であった。長さｄ１を０．４ｍｍとし、距離ｄ２を０．１ｍとし、傾斜角θｓを７°としたときの迷光率は０．３１％であった。長さｄ１を０．４ｍｍとし、距離ｄ２を０．２ｍとし、傾斜角θｓを７°としたときの迷光率は０．４７％であった。
【００５８】
［実施の形態３］
図５は、本発明の実施の形態３に係る表示装置１の照明装置３０に用いた導光板５０の光導入領域５６付近を拡大して示す説明図である。なお、本形態の基本的な構成は、実施の形態１と同様であるため、共通する部分には同一の符号を付してそれらの説明を省略する。
【００５９】
本形態でも、図２を参照して説明したように、導光板５０は、光入射面５５と導光板５０の表示パネル１０との接着領域（接着剤層２０の形成領域）との間に光導入領域５６を備え、光導入領域５６の第２面５２側には、光入射面５５側の厚さを薄くする方向に傾いた第２面側傾斜面５８が形成されている。また、光導入領域５６の第１面５１側には、光入射面５５側の厚さを薄くする方向に傾いた第１面側傾斜面５７が形成されている。
【００６０】
本形態では、図５に示すように、第１面側傾斜面５７および第２面側傾斜面５８は、光導入領域５６の光入射面５５側の第１端部５６１と、光導入領域５６の光入射面５５とは反対側の第２端部５６２との間に複数の傾斜面５７ａ、５８ａを有している。このため、第１面側傾斜面５７および第２面側傾斜面５８を狭い範囲に形成した場合でも、光導入領域５６の光入射面５５側の第１面側傾斜面５７の傾斜角θｓ、および第２面側傾斜面５８の傾斜角θｓを大きくすることができる。従って、発光素子４１から出射された光が第１面５１から直接、出射されることに起因する迷光の発生を抑制し、照明光の強度ばらつきを抑制することができる。
【００６１】
なお、第１面側傾斜面５７および第２面側傾斜面５８は、第１端部５６１と第２端部５６２との間の全域に形成してもよいが、第１端部５６１および第２端部５６２の一方から離間する範囲に形成してもよい。
【００６２】
［実施の形態４］
図６は、本発明の実施の形態４に係る表示装置１の照明装置３０に用いた導光板５０の光導入領域５６付近を拡大して示す説明図である。なお、本形態の基本的な構成は、実施の形態１と同様であるため、共通する部分には同一の符号を付してそれらの説明を省略する。
【００６３】
本形態でも、図２を参照して説明したように、導光板５０は、光入射面５５と導光板５０の表示パネル１０との接着領域（接着剤層２０の形成領域）との間に光導入領域５６を備え、光導入領域５６の第２面５２側には、光入射面５５側の厚さを薄くする方向に傾いた第２面側傾斜面５８が形成されている。また、光導入領域５６の第１面５１側には、光入射面５５側の厚さを薄くする方向に傾いた第１面側傾斜面５７が形成されている。
【００６４】
本形態では、図６に示すように、導光板５０の第２面５２側に、光導入領域５６を表示パネル１０と重なる他の領域より厚くするように突出した凸部５８０が形成されており、かかる凸部５８０に第２面側傾斜面５８が形成されている。このため、第２面側傾斜面５８を形成する範囲を、第１面側傾斜面５７が形成されている範囲より長くしても、第１面側傾斜面５７の傾斜角θｓを大きくすることができる。従って、発光素子４１から出射された光が第１面５１から直接、出射されることに起因する迷光の発生を抑制し、照明光の強度ばらつきを抑制することができる。
【００６５】
なお、第１面側傾斜面５７は、第１端部５６１と第２端部５６２との間の全域に形成してもよいが、第１端部５６１および第２端部５６２の一方から離間する範囲に形成してもよい。
【００６６】
［実施の形態５］
図７は、本発明の実施の形態５に係る表示装置１の照明装置３０に用いた導光板５０の光導入領域５６付近を拡大して示す説明図である。なお、本形態の基本的な構成は、実施の形態１と同様であるため、共通する部分には同一の符号を付してそれらの説明を省略する。
【００６７】
本形態でも、図２を参照して説明したように、導光板５０は、光入射面５５と導光板５０の表示パネル１０との接着領域（接着剤層２０の形成領域）との間に光導入領域５６を備え、光導入領域５６の第２面５２側には、光入射面５５側の厚さを薄くする方向に傾いた第２面側傾斜面５８が形成されている。また、光導入領域５６の第１面５１側には、光入射面５５側の厚さを薄くする方向に傾いた第１面側傾斜面５７が形成されている。
【００６８】
本形態では、図７に示すように、光入射面５５は、表示パネル１０とは反対側に向いたテーパー面になっている。このため、発光素子４１の第１面５１側の端部から出射された光線Ｌ２は、第２面側傾斜面５８で反射した後、導光板５０の第１面５１に入射する際の入射角を大きくすることができる。それ故、第２面側傾斜面５８で反射した光が第１面５１から直接出射されることを抑制することができる。従って、光導入領域５６の長さを短くして導光板５０を小型化した場合でも、発光素子４１から出射された光が第１面５１から直接、出射されることに起因する迷光の発生を抑制し、照明光の強度ばらつきを抑制することができる。
【００６９】
ここで、第１面側傾斜面５７および第２面側傾斜面５８が形成されている長さｄ１を０．４ｍｍとし、光導入領域５６の長さＤを１．１ｍｍとし、接着剤層２０の屈折率ｎｇを１．４１とし、傾斜角θｓおよび光入射面５５のテーパー角θｅを変化させたときの迷光率を検討した。その結果を表３に示す。表３に示すように、傾斜角θｓを０°とし、テーパー角θｅを０°とした参考例では、迷光率が１．２４％であった。また、傾斜角θｓを０°とし、テーパー角θｅを５°とした参考例では、迷光率が１．２２％であった。また、傾斜角θｓを０°とし、テーパー角θｅを１０°とした参考例では、迷光率が１．２９％であった。これに対して、傾斜角θｓを７°とし、テーパー角θｅを５°とした本形態では、迷光率が０．３１％であった。
【００７０】
【表３】
2016161892.tif 000005
【００７１】
本形態において、光入射面５５のテーパーは、導光板５０を樹脂成形する際、金型と導光板５０とを分離する際の抜きテーパーによって構成される。
【００７２】
なお、第１面側傾斜面５７および第２面側傾斜面５８は、第１端部５６１と第２端部５６２との間の全域に形成してもよいが、第１端部５６１および第２端部５６２の一方から離間する範囲に形成してもよい。
【００７３】
（他の実施の形態）
本形態では、導光板５０が略円形の平面形状であったが、導光板５０が楕円形や長円形の導光板５０を用いた場合に本発明を適用してもよい。さらには、全体として矩形形状を有する導光板５０を用いた場合に本発明を適用してもよい。また、本形態では表示パネル１０として反射型の表示パネルを用いたが、表示パネル１０は写真等を収納して展示するフォトフレーム、広告等を表示する看板、自動車等に用いられる計器等でもよい。
【００７４】
（電子機器の構成例）
図８は、本発明を適用した表示装置１を備えた携帯用電子機器１００の一態様を示す説明図である。図８に示す携帯用電子機器１００は、腕装着型の電子機器であり、本体部１２０と、バンド部１３０とを備えている。本体部１２０には、時計機能に加えて、衛星測位システムの一種であるＧＰＳ（ＧｌｏｂａｌＰｏｓｉｔｉｏｎｉｎｇ Ｓｙｓｔｅｍ）機能等を内蔵している。本体部１２０の中央には、表示部１４０が構成されており、かかる表示部１４０には、図１等を参照して説明した表示装置１が用いられており、現在の日時や位置情報等が表示される。
【００７５】
なお、本発明を適用した表示装置１は、図８に示す携帯用電子機器１００の他にも、携帯電話機、情報携帯端末（ＰＤＡ：Ｐｅｒｓｏｎａｌ  Ｄｉｇｉｔａｌ  Ａｓｓｉｓｔａｎｔｓ）、カメラのファインダー、電子ペーパー等の表示装置として用いてもよい。
【符号の説明】
【００７６】
１・・表示装置、１ａ・・画像表示領域、１０・・表示パネル、１１・・第１基板、１２・・第２基板、１３・・表示層、２０・・接着剤層、３０・・照明装置、４０・・光源、４１・・発光素子、５０・・導光板、５１・・第１面、５２・・第２面、５４・・端面、５５・・光入射面、５６・・光導入領域、５７・・第１面側傾斜面、５７ａ・・傾斜面、５８・・第２面側傾斜面、５８ａ・・傾斜面、１００・・携帯用電子機器、５６１・・第１端部、５６２・・第２端部、５８０・・凸部
【図１】
2016161892.tif 000006
【図２】
2016161892.tif 000007
【図３】
2016161892.tif 000008
【図４】
2016161892.tif 000009
【図５】
2016161892.tif 000010
【図６】
2016161892.tif 000011
【図７】
2016161892.tif 000012
【図８】
2016161892.tif 000013
【図９】
2016161892.tif 000014
【図１０】
2016161892.tif 000015